(57)【要約】 【課題】    ロールペーパーが収納された包装体を楽に運搬することができ、本体部を引き破ることなく、容易に且つきれいな状態に開口させることができるペーパーロールの包装袋を提供する。【解決手段】  ロールペーパーを収納する筒状フィルム状の本体部と、該本体部の上側を密封することにより形成された把持部とから構成され、前記把持部の中央部分には、手の甲を差し入れる程度の大きさの手掛け部が形成されると共に、該切込部の下縁中央には、下向きの切込部が形成されている。【選択図】  図１
2006232286.tif 000002
【特許請求の範囲】
【請求項１】
ロールペーパーを収納する筒状フィルム状の本体部と、該本体部の上側を密封することにより形成された把持部とから構成されるペーパーロール用包装袋であって、
前記把持部の中央部分には、手の甲を差し入れる程度の大きさの手掛け部が形成されると共に、該切込部の下縁中央には、下向きの切込部が形成されていることを特徴とする、ロールペーパー用包装袋。
【発明の詳細な説明】
【技術分野】
【０００１】
本発明は、ロールペーパーを収納するための包装袋に関する。さらに詳しくは、楽に持ち運ぶことができ、開封が容易であり、必要個数を取り出した後、残りを再包装し、清潔に保管できるペーパーロール用包装袋に関する。
【背景技術】
【０００２】
ロールペーパーは一般的に、１段を４個或いは６個として、透明または半透明のプラスチックフィルム製の包装用袋の中に、複数個まとめて収納され販売されている。このような包装袋は、製品の運送作業、店頭陳列作業、更にはユーザーの持ち運びの際にかかる荷重に耐えられる必要がある一方、使用時に開封する際に、素手で簡単に、しかも見た目のきれいな状態に切り開かれた取り出し口を形成する必要がある。
【０００３】
実用新案登録第３０１６７１５号は、このような包装袋を開示する。この実用新案登録において開示された包装袋は、複数段に重られた複数個のトイレットペーパーロールをその本体部に収納するトイレットペーパーロールの包装袋であって、本体の上部に２つの指掛け穴が形成された把持部を設け、この把持部のほぼ中央部に縦方向に延びる開封用のミシン目を設けられている。図４に、このような従来の包装袋の全体斜視図を示す。包装袋１は、本体部２と把持部３とから構成されており、把持部３のほぼ中央に２つの指掛け穴２５が形成されている。そして、把持部３のほぼ中央に縦方向に伸びる開封用のミシン目２６が設けられている。
【０００４】
【特許文献１】実用新案登録第３０１６７１５号公報
【発明の開示】
【発明が解決しようとする課題】
【０００５】
上述した包装袋１を開封し、ペーパーロールを取り出すときは、上記の開封用のミシン目２６を起点として開封を行うので、開封しやすく、容易にトイレットペーパーロールを取り出すことができる利点を有する。しかし、ミシン目２６は本来切り開かれ易いので、製品の運送作業、店頭陳列作業、更にはユーザーの持ち運びの際において、十分に取扱いを注意する必要がある。また、把持部３には、指掛け穴２５が２箇所しか形成されていないので、これらの指掛け穴２５に掛けた指が圧迫されて苦痛になる等、持ち運びしにくいという欠点がある。
【０００６】
本発明は、上記の従来技術の問題点を解決するためになされたものであり、ロールペーパーが収納された包装体を楽に運搬することができ、本体部を引き破ることなく、容易に且つきれいな状態に開口させることができるペーパーロールの包装袋を提供することを課題としている。
【課題を解決するための手段】
【０００７】
上記課題を解決するために、本発明のロールペーパー用包装袋は、ロールペーパーを収納する筒状フィルム状の本体部と、該本体部の上側を密封することにより形成された把持部とから構成され、前記把持部の中央部分には、手の甲を差し入れる程度の大きさの手掛け部が形成されると共に、該切込部の下縁中央には、下向きの切込部が形成されていることを特徴とする。
【発明の効果】
【０００８】
本発明のロールペーパー用包装袋では、手掛け部が手の甲を差し入れる程度の大きさに形成されているので、該包装袋を使用した包装体は握りやすく、強い圧迫感を手指に受けることは無い。そのため、手に苦痛を感じずに、上記包装袋を使用した包装体を楽に運搬できる。また、本発明のロールペーパー用包装袋では、ロールペーパーを取り出すに際し、手掛け部の下縁を、上記の下向きの切込部が中央になるように両側に引っ張るように開くと、それに連れて本体部が該下向きの切込部から、本体部の下側方向へ容易に開口させることができる。そのため、開封が容易であるとともに、必要個数のロールペーパーを取出した後、残りのものを再包装して清潔な状態で保管することができる。
【発明を実施するための最良の形態】
【０００９】
本発明の好ましい実施の形態について、図面を参照しながら以下に説明する。図１は、本発明のロールペーパー用包装袋１の一実施態様を示す斜視図であり、図２は、本発明の包装袋１のガゼット側面を折り込んだ状態の切欠正面図、図３は、本発明の包装袋１を使用してロールペーパーを取り出す状態を示す斜視図である。
【００１０】
本発明の包装袋１は、筒状フィルムから製造されるもので、複数のロールペーパーを収納する本体部２を有する。尚、包装袋には、柔軟性を有する合成樹脂製のものを使用するのが好ましく、特に、透明または半透明のポリエチレン等のプラスチックフィルムを使用するのが好ましい。
【００１１】
本体部２の上側は密封されて把持部３が形成されており、該把持部３を形成する密閉された部分には、ヒートシール等の熱圧着方法により、シール部１０ａ及び１０ｂが形成されている。尚、図示する実施形態において、上記シール部１０ａ及び１０ｂは幅２ｍｍ程度の線状に形成されているが、本体部２の密閉性が良好であり、且つ手掛け部５が手の甲を差し入れる程度の大きさに形成される領域を確保できれば、シール部の構成は特に限定されない。例えば、上記シール部１０ａ及び１０ｂが一体的になるように面状に形成することもできる。尚、把持部３の幅長は、４０ｍｍ〜６０ｍｍであることが好ましい。また、把持部３に形成される手掛け部５は、横長を５０ｍｍ〜８０ｍｍ、縦幅を２０ｍｍ〜３０ｍｍであることが好ましい。
【００１２】
本体部２の底面４は、ロールペーパーを収納した後、前面と後面のフィルムを重ね合わせ、次いでヒートシール等の熱圧着方法或いは接着剤を使用した接着方法により閉鎖する。
【００１３】
把持部３は、包装袋１の前面と後面のフィルムを重ね合わせることにより形成される。図２に図示するように、把持部３には手掛け部５が、該把持部３の中央部分に設けられている。手掛け部５は、把持部３の幅方向のほぼ中央且つ該把持部３の上端と下端のほぼ中央に形成されていれば良く、ロールペーパーを収納した包装袋１を持ち運びするときに手の甲を差し入れることができるようになっている。図示した実施形態において、手掛け部５は、長円に近い形状であり、把持部３と結合した状態の上縁部５ａと、ミシン目が形成された下縁部５ｂとからなる。このような構成の手掛け部５に手が入れられると上縁部５ａは把持部から切り取られず結合したままであるが、下縁部５ｂは指で容易に引きちぎることができるようになっている。
【００１４】
また、図２を参照すると、ミシン目が形成された下縁部５ｂの下辺部の中央には、上記したように略Ｖ字形の下向きの切込部５ｃが形成されている。上記の略Ｖ字形の切込部５ｃは、包装袋１を開封するための起点となるものである。一方、ロールペーパーを収納した包装袋１を店頭等で段積みして保管する際に、包装袋１に張力が加わり易いので、切込部５ｃから本体部２に切れ目が入り易くなる。そこで、包装袋１が不用意に開封されるのを防止するため、切込部５ｃは、横方向の幅寸を５ｍｍ〜１０ｍｍ、下方向の縦寸を２ｍｍ〜７ｍｍとするのが好ましい。尚、図２に示す切込部５ｃは、略Ｖ字形であるが、該切込部５ｃについて、横方向の幅寸及び下方向の縦寸を上記範囲内とし、下方向に形成するのであれば、他の形状であっても良く、例えば、略Ｕ字形、半円形等の形状に形成することができる。
【００１５】
なお、必要に応じて、切込部５ｃの下端から、本体部２の下側方向へ開封破線を設けることもできる。該開封破線は、本体部２の鉛直方向に所定の長さにわたって形成されたミシン目であり、使用時において包装袋１を開封するためのものである。
【００１６】
また、上記の開封破線を設ける場合、その長さは、少なくとも、ロールペーパーの上端部を外部に露出できるように形成する。また、包装袋１が、複数個のロールペーパーを複数段に積み重ねて収納できる容量を有する場合、開封破線を最下段のロールペーパーの位置に達する程度の長さに形成すれば、必要に応じて徐々に開口部分を拡げることができ、ロールペーパーの取り出しを容易にすることができる。すなわち、開封破線の長さは、包装袋１内の最上部に収納されたロールペーパーの１／３の高さから、包装袋１内の最下部に収納されたロールペーパーの１／２の高さまでの範囲内とすることが好ましい。開封破線の長さが、包装袋１内の最上部に収納されたロールペーパーの１／３の高さに満たないと、包装袋１に収納されたロールペーパーを取り出し難くなる。一方、開封破線の長さの下端が、包装袋１内の最下部に収納されたロールペーパーの１／２の高さよりも下の位置までに達すると、開封された包装袋１を持ち運ぶ際に、該包装袋１内のロールペーパーの配列が乱れて、外部へ落ち安くなる恐れがある。
【００１７】
本発明のロールペーパー用包装袋１の開封方法について述べると、最初に切込部５ｃを両側に引っ張るか、又は左右に押し広げて、該切込部５ｃから左右に開口する。そして、更に、そこから下方向に沿って切り広げると、本体部２が縦方向に切断される。このように、本発明のロールペーパー用包装袋によれば、切込部５ｃは、包装袋１を開封するための起点となっているので、開封に必要とされる力が少なくて済む。そのため、本発明のロールペーパー用包装袋１は、容易に開封することができ、本体部２を不用意に破りにくく、見た目のきれいな状態の取り出し口を形成することができる。
【図面の簡単な説明】
【００１８】
【図１】本発明のロールペーパー用包装袋１の一実施態様を示す全体斜視図である。
【図２】本発明の包装袋１のガゼット側面を折り込んだ状態の切欠正面図である。
【図３】本発明の包装袋１を使用してロールペーパーを取り出す状態の包装袋１を示す斜視図である。
【図４】従来のトイレットペーパーロールの包装袋を示す全体斜視図。
【符号の説明】
【００１９】
１      包装袋
２      本体部
３      把持部３
４      底面
５      手掛け部
５ａ    上縁部
５ｂ    下縁部
５ｃ    切込部
１０ａ  シール部
１０ｂ  シール部
２５  指掛け穴
２６  ミシン目
【図１】
2006232286.tif 000003
【図２】
2006232286.tif 000004
【図３】
2006232286.tif 000005
【図４】
2006232286.tif 000006